(57)【要約】　　　（修正有）【課題】ＭＩＭＯアンテナ・システムを使用する通信システムの信号情報を搬送するための方法を提供すること。【解決手段】通信システムを介して相対的に大量の情報を搬送し、ＭＩＭＯアンテナ・システムを活用できるようにするために、順方向リンク信号チャネルが提供され、通信システムがＭＩＭＯシステムのアンテナ素子のうちの任意の１つを使用してトラフィック情報を再送できるようにするスワッピング情報や、チャネル割当て情報が含まれる。さらに通信システムを介して相対的に大量の情報を搬送するように対処するために、逆方向リンク信号情報の形式は、（１）逆方向リンク信号情報が時分割多重化される、（２）逆方向リンク情報が相対的に高位の変調で変調される、および（３）逆方向リンク情報に追加のチャネルが提供される、という３つのメカニズムのうちの任意の１つまたは任意の組合せを使用して修正される。【選択図】図１
2004135304.tif 000002
【特許請求の範囲】
【請求項１】
　複数のアンテナ素子のうちの少なくとも１つを使用してトラフィック情報を再送するための、スワッピング信号情報を有する順方向リンク信号チャネル形式を提供する工程を含む、通信の方法。
【請求項２】
　逆方向リンク信号チャネル形式を提供する工程を含む通信の方法であって、
　　（１）逆方向リンク信号情報が時分割多重化されるメカニズムと、
　　（２）追加の通信チャネルが提供されるメカニズムと、
　　（３）逆方向リンク情報信号が相対的に高位の変調で伝送されるメカニズムのうちの、任意の１つまたは任意の組合せが使用される方法。
【請求項３】
　順方向リンク信号情報中でチャネル割当て情報を使用することにより、通信システムの特定のユーザに割り当てられた追加の通信チャネルを提供する工程をさらに含む、請求項１に記載の方法。
【請求項４】
　追加のウォルシュ・コードを使用することにより、ＣＤＭＡ通信システムの特定のユーザに割り当てられた追加の通信チャネルを提供する工程をさらに含む、請求項１に記載の方法。
【請求項５】
　スワッピング信号情報に基づき、複数入出力アンテナ・システムの異なるアンテナ素子によってトラフィック情報の異なる部分が伝送される、請求項１に記載の方法。
【請求項６】
　ＣＤＭＡ通信システムが通信用に使用され、どのアンテナがトラフィック情報および特定のチャネルを特定のユーザに割り当てるための境界情報を伝送または再送するものであるかを示すために、順方向リンク信号チャネルがスワッピング・ビットを含むＳＰＤＣＣＨである、請求項１に記載の方法。
【請求項７】
　順方向リンク信号情報中でチャネル割当て情報を使用することにより、通信システムの特定のユーザに割り当てられた追加の通信チャネルを提供する工程をさらに含む、請求項２に記載の方法。
【請求項８】
　追加のウォルシュ・コードを使用することにより、ＣＤＭＡ通信システムの特定のユーザに割り当てられた追加の通信チャネルを提供する工程をさらに含む、請求項２に記載の方法。
【請求項９】
　スワッピング信号情報に基づき、複数入出力アンテナ・システムの異なるアンテナ素子によってトラフィック情報の異なる部分が伝送される、請求項２に記載の方法。
【請求項１０】
　ＣＤＭＡシステムが通信用に使用され、逆方向リンク信号チャネルがＲＡＣＫＣＨおよびＲＱＣＩＣＨであって、ＲＡＣＫＣＨおよびＲＣＱＩＣＨ情報が時分割多重化されて、ＱＰＳＫ変調を使用して変調され、情報を搬送するために通信システム内で１２８系ウォルシュ・コードが使用される、請求項２に記載の方法。
【発明の詳細な説明】
【技術分野】
【０００１】
　本発明は、無線通信システムに関する。
【背景技術】
【０００２】
　通信技術は、この技術のほぼすべての面で改善されながら、常に変化を続けている。具体的に言えば、無線通信システムは、その加入者らの常に増え続ける要求を満たすために、設計、構築、およびアップグレードされている。現在アップグレードされている無線通信システムの重要な側面の１つが無線通信システムの容量であり、より重要なことにはそのスループットである。通信システムの他の重要かつ関係する側面は、システムが、音声のみならずデータ（たとえばグラフィック、テキスト、デジタル・ビデオ）を表す情報を搬送（すなわち送信および／または受信）する能力である。サービス・プロバイダは、音声とデータの両方を提供することを望んでいるか、または容量の大きなシステムを望んでいるかにかかわらず、システム・スループットを向上させなければならない。システム・スループットが、システム機器によって首尾よく（どんなエラーも伴わないか、または許容できる量のエラーを伴って）送受信される情報の量であることは周知であろう。
【０００３】
　システム機器は、典型的には無線通信システムで使用される、様々な信号送信、信号受信、および信号処理の機器である。システム機器の例には、変調器、符号化回路、電力増幅器、復号回路、コンピュータ、フィルタ、および復調器が含まれる。サービス・プロバイダは、典型的にはシステム機器を所有、動作、制御、および管理する商用エンティティである。システム機器は、情報を他のシステム機器またはユーザ機器に搬送する。ユーザ機器の例には、セルラー式電話、ページャ、無線ＰＣ、および携帯用情報端末（ＰＤＡ）が含まれる。以下、「ユーザ」および「ユーザ機器」という用語は同義に使用される。無線セルラー式通信システムでは、システム機器の多くが、通信システムの様々なセルにサービスを提供する基地局に配置される。セルとは、物理的な境界線によって画定される地理的領域のことである。基地局は、セル内の１つまたは複数の場所から形成され、システム機器を含む。
【０００４】
　通信システムの容量およびスループットに直接影響を与える無線通信システムの重要な構成要素の１つが、システム中で使用されるアンテナ機器である。アンテナは、通信システムの通信チャネル全体にわたって様々なタイプの情報（たとえば音声、データ）を搬送する、通信信号を送受信する。通信システムの容量およびスループットを増加させるためには、アンテナ自体の数を増やさなければならない。アンテナの容量を上げるために使用される技法の１つが、アンテナ素子アレイを使用して通信信号を同時に送受信する、複数入出力（ＭＩＭＯ／Ｍｕｌｔｉｐｌｅ　Ｉｎｐｕｔ　Ｍｕｌｔｉｐｌｅ　Ｏｕｔｐｕｔ）アンテナ・システムを使用するものである。ＭＩＭＯシステムの一例が、ニュージャージー州マレーヒルに本社を置くルーセント・テクノロジーのベル研究所（Ｂｅｌｌ　Ｌａｂｓ　ｏｆ　Ｌｕｃｅｎｔ　Ｔｅｃｈｎｏｌｏｇｉｅｓ）が開発したＢｅｌｌ　Ｌａｂｏｒａｔｏｒｉｅｓ　Ｌａｙｅｒ　Ｓｐａｃｅ　Ｔｉｍｅ（ＢＬＡＳＴ）システムである。１本のアンテナを送信機用に１本のアンテナを受信機用に使用する、典型的には無線通信システムで使用される現在のアンテナ・システムは、確立された規格の一部であるプロトコルに従って通信信号を送信および／または受信する、単数入出力（ＳＩＳＯ／Ｓｉｎｇｌｅ　Ｉｎｐｕｔ　Ｓｉｎｇｌｅ　Ｏｕｔｐｕｔ）システムとして知られている。プロトコルとは、通信システムの通信チャネルを介して信号およびトラフィック情報を搬送するための規則セットである。プロトコルは、通常、規格団体、業界グループ、および／または政府規制団体によって確立される規格の一部である。ＳＩＳＯシステムは、１本のアンテナまたは１アンテナ・システムを使用して情報を搬送する。
【０００５】
　システム・アンテナと通信システムのユーザとの間で搬送される通信信号は、一般にトラフィック・チャネルと呼ばれる通信チャネルを介して送信および／または受信される。各トラフィック・チャネルと関連付けられるのが、通信システムが準拠する確立された規格の一部であるプロトコルに従ってトラフィック・チャネルを介した情報の流れを制御するために使用される、信号チャネル（制御チャネルとも呼ばれる）である。信号チャネルを介して搬送される情報は、トラフィック・チャネル内での通信の開始、維持、および終了方法を制御する、信号情報である。システム機器（たとえば基地局）からユーザ機器へ伝送される情報（信号および／またはトラフィック）を、順方向リンクを介して伝送されると言う。これとは逆に、ユーザ機器からシステム機器へ伝送される情報は、逆方向リンクを介して伝送されると言う。したがって、順方向信号情報は基地局からユーザ機器へ伝送され、逆方向信号情報はユーザ機器から基地局へと伝送される。
【０００６】
　順方向リンクおよび逆方向リンクを介して伝送される信号情報の形式は、通信システムが従う規格によって管理される。一般に、情報の形式（信号および／またはトラフィック）は、その情報の様々な部分の特定の配置構成である。信号チャネルを介して搬送される信号情報のブロックは、何らかの方法で、トラフィック・チャネルを介して搬送される対応するトラフィック情報の１つまたは複数のブロックに関係付けられる。信号情報のブロックは、トラフィック・チャネルを介して流れる情報が、どのように搬送、処理、および解釈されるかを指示する。たとえば、１ｘ−ＥＶＤＶ（ＥＶｏｌｕｔｉｏｎ　ｆｏｒ　Ｄａｔａ　ａｎｄ　Ｖｏｉｃｅ）用の符号化分割多重アクセス（ＣＤＭＡ）無線通信システムでは、順方向信号情報がＳｅｃｏｎｄａｒｙ　Ｐａｃｋｅｔ　Ｄａｔａ　Ｃｏｎｔｒｏｌ　Ｃｈａｎｎｅｌ（ＳＰＤＣＣＨ）と呼ばれるチャネルを介して伝送される。ＳＰＤＣＣＨは、トラフィック情報がどのように解釈および処理されるかを信号情報の様々な部分が表すのに使用される一定の形式を有する。
【０００７】
　ＳＰＤＣＣＨの特定バージョンでは、たとえばトラフィック・チャネルを介して搬送されるトラフィック情報のブロックに格納されるビット数を示す、Ｅｎｃｏｄｅｒ　Ｐａｃｋｅｔ　Ｓｉｚｅ（ＥＰＳ）と呼ばれる３ビットの情報がある。ＳＰＤＣＣＨは、特有のユーザ機器またはトラフィック情報を搬送する移動体を識別する、特定の数である、ＭＡＣ　ＩＤ（媒体アクセス制御識別子）と呼ばれる６ビットも含む。さらにＳＰＤＣＣＨは、トラフィック情報の同じブロックが再送された回数を示す、Ｒｅｄｕｎｄａｎｃｙ　Ｖｅｒｓｉｏｎ（ＲＶ）と呼ばれる一定数のビット（通常は２ビット）も含む。トラフィック情報が基地局から移動体に伝送される場合、基地局は、伝送された情報を移動体がエラーなしで受け取ったかどうかを示す、移動体からの確認メッセージを受け取るのを待つ。移動体は、エラーなしで情報を受け取ると、肯定応答（ＡＣＫ）確認メッセージを伝送する。移動体は、エラーを伴う情報または受け入れられない量のエラーを伴う情報を受け取ると、情報がエラーを伴って受け取られたことを基地局に伝える否定応答（ＮＡＣＫ）メッセージを、基地局に返送する。基地局は、ＮＡＣＫ確認メッセージを受け取ると、トラフィック情報を再送する。
【０００８】
　ＮＡＣＫおよびＡＣＫメッセージは、逆方向確認応答チャネル（ＲＡＣＫＣＨ／Ｒｅｖｅｒｓｅ　ＡＣＫｎｏｗｌｅｄｇｅｍｅｎｔ　Ｃｈａｎｎｅｌ）と呼ばれる逆方向リンク・チャネルを介して伝送される。基地局は、ユーザ機器からＡＣＫまたはＮＡＣＫメッセージを受け取るまで、後続のトラフィック情報を伝送することができない。基地局は確認メッセージを待っている間、そのアイドル時間を使用して、同じユーザ機器または別のチャネル上にある他のユーザ機器にトラフィック情報を伝送することが可能であり、この方法では、基地局は、他の通信チャネルを介して追加のトラフィック情報を伝送するためにアイドル時間期間をその他の形で使用することになる。確認メッセージを待っている間に伝送されるトラフィック情報の様々なブロックは、それらに関係付けられた対応するＡＣＫまたはＮＡＣＫメッセージを有する。基地局からユーザ機器へトラフィック情報を伝送する際に使用される通信チャネルの数を記述するために、現在、２つのＨＡＲＱ（ハイブリッド自動再送要求／Ｈｙｂｒｉｄ　Ａｕｔｏｍａｔｉｃ　ｒｅｐｅａｔ　ＲｅＱｕｅｓｔ）ビットが使用されており、すなわち、基地局は、確認メッセージを待っている間に生じるアイドル期間を利用する場合、１人または複数のユーザへのトラフィック情報伝送を４つまで有することができる。
【０００９】
　ユーザ機器が基地局に信号情報を伝送するために使用する他の逆方向リンク・チャネルは、逆方向チャネル品質インジケータ・チャネル（ＲＣＱＩＣＨ／Ｒｅｖｅｒｓｅ　Ｃｈａｎｎｅｌ　Ｑｕａｌｉｔｙ　Ｉｎｄｉｃａｔｏｒ　Ｃｈａｎｎｅｌ）と呼ばれる。トラフィック情報が基地局から伝送される際に介する順方向リンク通信チャネルの品質は、ユーザ機器によって得られる。通常、順方向リンク通信チャネルの品質は、信号対雑音比（ＳＮＲ）として定量化される。移動体にはチャネル内の雑音のパワー・レベルが与えられ、受け取った信号のパワー・レベルを測定し、移動体は２つのパワー・レベルを使用して、よく知られた方法でＳＮＲを計算する。次に移動体は、計算されたＳＮＲ量をＲＣＱＩＣＨを介して基地局に伝送する。
【発明の開示】
【発明が解決しようとする課題】
【００１０】
　ＭＩＭＯアンテナ・システムを使用する通信システムでは、こうしたシステムに対処できる信号チャネル形式を有し、現在のＳＩＳＯシステムに対しても後ろ向きに適合可能であることが求められている。
【課題を解決するための手段】
【００１１】
　したがって、本発明は、ＭＩＭＯアンテナ・システムを有する通信システムの順方向リンクおよび逆方向リンクを介して、信号情報を搬送する方法を提供する。信号チャネルを介して搬送される信号情報は、相対的に大量の信号情報を搬送可能にするように形式化されるため、相対的に大量のトラフィック情報をＭＩＭＯアンテナ・システムによって搬送可能にする。本発明の方法およびＭＩＭＯアンテナ・システムを使用すると、トラフィック情報の送信および／または受信に備えるために、相対的に大量の信号情報を搬送することができる。具体的に言えば、順方向リンク信号チャネルの形式は、システム機器がＭＩＭＯアンテナ・システムのアンテナ素子を切り替えて通信システムのスループットを向上させることができる配置構成を提供する。ＭＩＭＯアンテナ・システムを使用する通信システム内の逆方向リンク信号チャネルに対して相対的に大量の情報の伝送を可能にするために、逆方向リンク信号チャネルの形式を、（１）逆方向リンク信号情報が時分割多重化される、（２）逆方向リンク信号情報に追加のチャネルが提供される、および（３）逆方向リンク情報が相対的に高位の変調で変調される、という３つの基本的な方法のうちの任意の１つで修正することができる。さらに、ＭＩＭＯアンテナ・システムを使用して情報を搬送する特定のユーザに対して、順方向リンクでチャネル割当て情報を使用して、使用可能な信号およびトラフィック通信チャネルが割り当てられる。
【発明を実施するための最良の形態】
【００１２】
　本発明は、ＭＩＭＯアンテナ・システムを有する通信システムの順方向リンクおよび逆方向リンクを介して信号情報を搬送する方法を提供する。信号チャネルを介して搬送される信号情報は、相対的に大量の情報がＭＩＭＯアンテナ・システムによって搬送可能になるように形式化される。本発明の方法およびＭＩＭＯアンテナ・システムを使用して、トラフィック情報の送信および／または受信に備えるために相対的に大量の信号情報を搬送することができる。具体的に言えば、順方向リンク信号チャネルの形式は、システム機器が通信システムのスループットを向上させるためにＭＩＭＯアンテナ・システムのアンテナ素子を効果的に使用できる配置構成を提供する。ＭＩＭＯアンテナ・システムを使用する通信システムでサポートするために、逆方向リンク信号チャネルの形式を、（１）逆方向リンク信号情報が時分割多重化される、（２）逆方向リンク信号情報に追加のチャネルが提供される、および（３）逆方向リンク情報が相対的に高位の変調で変調される、という３つの基本的な方法のうちの任意の１つで修正することができる。さらに、使用可能な信号およびトラフィック通信チャネルの排他的部分が、ＭＩＭＯアンテナ・システムを使用して情報を伝送する様々なユーザに割り当てられる。チャネル割当て情報は、使用可能なチャネル（トラフィックおよび／または信号）を特定ユーザに割り当てるために、順方向リンク信号情報に含められる。特定のユーザに１つまたは複数のチャネルを割り当てることができる。説明をわかりやすくするために、本発明の方法は、順方向リンク信号チャネルがＳＰＤＣＣＨであり、逆方向リンク信号チャネルがＲＡＣＫＣＨおよびＲＣＱＩＣＨである、２×２　ＭＩＭＯアンテナ・システム（２本の送信アンテナ、２本の受信アンテナ（図示せず））を使用するＣＤＭＡ通信システムのコンテキストで記載する。
【００１３】
　図１を参照すると、通信システムの典型的なシステム伝送機器アーキテクチャが示されており、伝送される情報の一部分が１本のアンテナによって伝送され、情報の他の部分が他のアンテナによって伝送される。伝送される情報に、巡回冗長検査（ＣＲＣ）エラー符号化が適用される。ＣＲＣ符号器１０２によって実行されるＣＲＣ符号化は、受信機器が情報を受信したときに情報にエラーが含まれているかどうかを判定することができるようにするためのエラー検出ビットが情報に追加された、よく知られたエラー検出スキームである。ＣＲＣ符号器１０２の出力は、エラー符号化情報に関するチャネル符号化オペレーションを適用する符号器１０４に印加される。チャネル符号化には、情報に冗長性を追加するために情報ブロックにビットが追加され、それによって、エラーを生じさせるチャネル異常に対してより堅固であり損傷を受けにくくする、様々なよく知られたチャネル符号化オペレーションが含まれる。チャネル符号化情報およびエラー訂正符号化情報の一部が変調器１０６に印加され、アンテナ素子１１０によって伝送される。情報の他の部分が変調器１０８に印加され、アンテナ素子１１２によって伝送される。伝送される情報の配分は、ＣＲＣ、符号器、変調器、およびアンテナ・システム・アーキテクチャに沿った、いずれの地点でも実行可能である。また配分は、トラフィック情報がＣＲＣ符号器に印加される前に生じる場合もある。図２では、伝送される情報の配分が符号器で実行されることを除き、図１に示されたものと同様の伝送システム機器アーキテクチャが示されている。図１とは異なり、図２には、それぞれ変調器２０６および２１２に接続された、２つのチャネル符号器（２０４、２１０）がある。変調器は、それぞれアンテナ素子２０８および２１４に接続される。両方のチャネル符号器（２０４、２１０）の入力に接続されたＣＲＣ符号器２０２は、伝送される情報に適切なＣＲＣ符号化を印加する。
【００１４】
　トラフィック情報の一部が様々なアンテナによって伝送される場合、伝送されるすべての部分がエラーなしで受け取られることになるが、そうでない場合はトラフィック情報のオリジナル・ブロックが復号できない。したがって、少なくとも１つの部分がエラーを伴って受信されると、トラフィック情報のブロック全体を再送しなければならない。トラフィック情報が２つの部分（第１の部分および第２の部分）に分けられ、その部分のうち１つがエラーを伴って受信されると想定する。復号はトラフィック情報のブロック全体に関して実行されるため、どのチャネルおよび対応するアンテナがエラーのある部分を送信したのかを特定することができない。アンテナおよびその対応するチャネルのうちの１つがエラーを発生させている可能性がある。本発明の方法では、ＳＰＤＣＣＨの形式に「スワッピング」信号情報を追加することによって、様々なアンテナを使用してトラフィック情報を再送することができる。スワッピング信号情報とは、順方向リンク・トラフィック情報を伝送するためにどのシステム機器が使用されるかを示す情報である。ＭＩＭＯアンテナ・システムのサイズに応じて、スワッピング情報（たとえばスワッピング・ビット）は２に等しいかまたはそれより大きい任意の整数値を有することができる。具体的に言えば、再度図２を参照すると、トラフィック情報の第１の部分がアンテナ２０８によって伝送され、トラフィック情報の第２の部分がアンテナ２１４によって伝送され、伝送されたトラフィック情報の一部分がエラーを伴って受信された場合、トラフィック情報は再送が可能であるため、次に第２の部分がアンテナ素子２０８によって伝送され、第１の部分がアンテナ素子２１４によって伝送される。あるいは、両方の部分をアンテナ素子２０８またはアンテナ素子２１４のいずれかによって再送することができる。さらに、トラフィック情報は、同じ部分について同じアンテナを使用して再送することもできる。スワッピング・ビット情報の値が、どのアンテナ素子がトラフィック情報のどの部分を伝送するかを決定する。したがって、スワッピング情報は、どのアンテナ素子にトラフィック情報を再送させるかを、通信システムが選択できるようにするものである。
【００１５】
　相対的に大量の情報がＲＡＣＫＣＨおよびＲＣＱＩＣＨの逆方向リンク信号チャネルを介して搬送されるため、本発明の方法は、これらの信号情報を搬送するために３つの基本メカニズムを提供する。逆方向リンクでは、同じかまたは異なるユーザ機器に関連付けられた異なる信号情報がある場合、時分割多重（ＴＤＭ）技法を使用して、これらの信号情報をユーザ機器からシステム機器へと伝送することができる。サービス・プロバイダは、特定の時間スロットを特定のユーザ機器に割り当てて、こうしたユーザ機器がそれぞれ、その指定の時間スロットで逆方向リンクを介して信号情報伝送できるようにする。以下で論じるＣＤＭＡ通信システムでは、時間スロットの持続時間は１．２５ミリ秒である。
【００１６】
　逆方向リンク信号チャネルに関して本発明の方法によって提供される第２のメカニズムは、通信チャネルの追加である。たとえば、６４系ウォルシュ・コード（すなわち６ビット・ウォルシュ・コード）を使用するＣＤＭＡシステムでは、システムは１２８系（すなわち７ビット）ウォルシュ・コードを有するように修正される。ウォルシュ・コードは、たとえ信号および／またはトラフィック情報が付加された状態で同時に伝送された場合でも、互いに干渉しないＮビット・コード（それぞれがセット内でユニークである）のセットであり、Ｎは２に等しいかまたは２より大きい整数である。したがって、各ウォルシュ・コードは、別々の独立した通信チャネルに類似している。
【００１７】
　本発明の方法によって提供される第３のメカニズムは、逆方向リンク情報を相対的に高位の変調で伝送できるようにするものである。変調順序は、伝送される記号によって表される情報の量を意味する。現在のＣＤＭＡシステムでは、逆方向リンク情報はＢＰＳＫ（２位相偏移変調）を使用して伝送され、伝送される記号は１ビットの情報を表す。本発明の方法では、逆方向リンク信号情報はＱＰＳＫ（直交位相偏移変調）を使用して伝送され、伝送される記号は２ビットの情報を表す。本発明の方法に従って逆方向リンク信号情報を伝送する場合、上記３つのメカニズムのうちの任意の１つを使用することが可能であり、より重要なことには、上記の３つのメカニズムの任意の組合せを使用することが可能である。順方向トラフィック・チャネルを介して搬送された信号対干渉雑音比（ＳＩＮＲ）は、ユーザによりＲＣＱＩＣＨを介してシステム機器に伝送される。システムはパワー・レベルのしきい値を画定し、ユーザ機器はトラフィック・チャネルを介して伝送された信号のパワー・レベルを測定する。ユーザ機器は、測定されたパワー・レベルおよび画定されたパワー・レベルのしきい値を使用して、特定のトラフィック・チャネルに関するＳＩＮＲを計算する。
【００１８】
　次に図３を参照すると、伝送される情報が異なるＣＲＣ符号器（３０２、３１２）によってＣＲＣ符号化される、典型的な伝送システム機器のアーキテクチャが示されている。同様に、チャネル符号器（３０４、３１４）、変調器（３０６、３１６）、およびアンテナ素子（３０８、３１８）は独立した別個のシステム伝送機器である。情報の１つまたは複数のブロックが同時に伝送される場合、一部のブロックは１つの分岐を使用して伝送され、他のブロックは他の分岐を使用して伝送される。ブロックが１つだけ伝送される場合は、分岐のうちの１つを使用して伝送され、他方の分岐は使用されないままである。図３に関してはわかりやすいように、「分岐」という用語はＣＲＣ　３０２、符号器３０４、変調器３０６、およびアンテナ３０８（以下「第１の分岐」と呼ぶ）などの伝送機器の１セットを指すものである。他の伝送機器セット、すなわち他の「分岐」は、ＣＲＣ　３１２、符号器３１４、変調器３１６、およびアンテナ３１８（以下「第２の分岐」と呼ぶ）で表される。すなわち、たとえば２ブロックの情報が伝送されている。情報の第１のブロックは第１の分岐を使用して伝送され、同時に情報の第２のブロックは第２の分岐を使用して伝送される。図３は特定のアーキテクチャであるため、情報の各ブロックが異なるＣＲＣを有する。すなわち、第１のブロックはＣＲＣ　３０２によって符号化され、第２のブロックはＣＲＣ　３１２によって符号化される。ブロックは異なるＣＲＣを有するため、ブロックのうち１つがエラーを伴って受信された場合に情報の両方のブロックを再送する必要がないことから、伝送機器にはより多くの柔軟性が与えられ、機器はエラーを伴って受信されたブロックのみを再送することができる。あるいは伝送機器は、ブロックを単独で再送するか、またはブロックを新しい情報ブロックと同時に再送することができる。この柔軟性によって、サービス・プロバイダは、すでに正しく（すなわちエラーなしで）受信された情報を再送する必要がないことから、システムのスループットを増大させることができる。
【００１９】
　さらに、サービス・プロバイダがより多くの情報を搬送できるようにするため、通信システムの通信チャネル・セット（信号チャネルおよびトラフィック・チャネル）の一部が特定のユーザに割り当てられる。したがって、一定のユーザが、ユーザに関連付けられた一定の順方向および逆方向のリンク信号チャネルを有することになる。システム機器は、順方向リンク信号チャネル（たとえばＳＰＤＣＣＨ）に含められたチャネル割当て情報を使用して、特定のユーザに割り当てた特定の通信チャネルを示すことになり、すなわちチャネル割当て情報は、通信システムのどの特定のチャネルがどのユーザに割り当てられたかを示す信号情報である。特定の１ユーザに複数のチャネルを割り当てることができる。割り当てられた通信チャネルのセットを含む信号情報は意図するユーザに同報通信されるが、こうした信号情報は意図しないユーザによって受信され復号されるため、結果としてユーザは使用可能な通信チャネルの割り当てられた部分を特定することができる。
【００２０】
　図４を参照すると、使用可能なコード・セットのウォルシュ・コード・スペース４００が示されている。コード・スペースが３人のユーザで配分されており、各部分が境界線で画されていると想定する。図示された例では、ユーザ１にはＴ１で境界が画されたコード・セットが割り当てられ、ユーザ２はＴ１およびＴ２で境界が画され、ユーザ３はＴ２およびＴ３で境界が画されている。システム機器によってＳＰＤＣＣＨを介して伝送される情報には、Ｔ１がユーザ１の境界であることを示す境界情報（すなわちチャネル割当てタイプの情報）が含まれる。この情報は伝送機器によって同報通信されるため、ユーザ１のみが受信して復号するのではなく、ユーザ２および３も受信して復号する。同様に、ユーザ２向けに意図されたＳＰＤＣＣＨを介した信号情報には境界情報Ｔ２が含まれ、ＳＰＤＣＣＨを介して伝送されるユーザ３向けに意図された信号情報には境界情報Ｔ３が含まれる。次に、ユーザ１は、境界Ｔ１より上のすべてのコードを使用できることが判別できる。ユーザ２は、境界Ｔ２より上で境界Ｔ１より下のすべてのコードを使用できることが判別できる。ユーザ３は、境界Ｔ３より上で境界Ｔ２より下のすべてのコードを使用できることが判別できる。したがって各ユーザは、そのユーザ向けに意図された信号情報および他のユーザ向けに意図された信号情報を受信および復号することによって、使用可能なコード部分を判別することができる。たとえば、ユーザ２は、自分が受信した信号情報およびユーザ１向けに意図された信号情報から、自分が使用可能なコード部分を判別することができた。同様にユーザ３は、自分自身が受信した信号境界情報およびユーザ２向けに意図された信号境界情報を使用して、自分が使用可能なコード部分を判別することができる。したがって、一般にユーザ機器は、受信した信号情報と他のユーザ機器向けに意図された信号情報から、それ自体が使用可能なチャネル・セットを判別することができる。したがって、前述のように、こうしたシステムはウォルシュ・コードを使用してそのチャネルを表すため、チャネル割当て情報はＣＤＭＡシステムに関する信号境界情報と呼ばれる。
【００２１】
　本発明の方法は、他のタイプの無線通信システムに適用可能であり、前述のＣＤＭＡ通信システムに限定されるものでないことを理解されよう。さらに本発明の方法は、有線通信システムにも適用可能である。
【図面の簡単な説明】
【００２２】
【図１】本発明の方法が適用された２×２　ＭＩＭＯアンテナ・システムを使用するシステム伝送機器アーキテクチャを示す図である。
【図２】図１に示されたシステム伝送機器に関するシステム・アーキテクチャの他のバージョンを示す図である。
【図３】本発明の方法を適用する、別のエラー訂正符号化を備えた２×２　ＭＩＭＯアンテナ・システムを使用するシステム伝送機器に関するアーキテクチャを示す図である。
【図４】３人のユーザ間のＣＤＭＡ無線通信システムに関する、３人のユーザ間でのコード・スペースの例示的な配分を示す図である。
【図１】
2004135304.tif 000003
【図２】
2004135304.tif 000004
【図３】
2004135304.tif 000005
【図４】
2004135304.tif 000006